Podtech/llm-jp-corpus-v4-ja_patent huggingface dataset:
(57)【要約】      （修正有）【課題】毛の絡みや活発な犬の動き（回転など）によって生じたリードのねじれを元に戻すことができるようにする。また、支柱等に楽にリードをつなげるようにする。【解決手段】リード先端のナスカン２と手元の間にもう一箇所Ｄカン１とナスカン２をつけた。【選択図】図１
0003105500.tif 000002
【実用新案登録請求の範囲】
【請求項１】
手元とリード先端のナスカンの間にもう一箇所１のＤカンと２のナスカンを付け加える。
【考案の詳細な説明】
【考案の開示】
【考案が解決しようとする課題】
【０００１】従来のリードでは、長毛の犬は毛がリード先端のナスカンにからまり、リードのねじれを生じることがある。また、動作（回転など）などの活発な犬はリード先端のナスカンのみでは動きについてゆけず、ねじれを生じることがある。いずれも犬の首を圧迫し、動きを損なうことがある。また、従来のリードでは支柱等につなぎたい場合、首もとのナスカンをはずしてつなぐので不便だった。
【課題を解決するための手段】
【０００２】上記の問題を解決するために、リード先端のナスカンと手元の間に、もう一箇所ナスカンとＤカンをつけた。
【考案の効果】
【０００３】毛の巻き込みや、活発な動作などで生じたリードのねじれを、より戻すことができる。また、このリードだと中間部をはずす事で、犬の方のリードは片手でにぎったまま支柱等に楽につなぐこともできる。
【図面の簡単な説明】
【０００４】
【図１】ねじれ防止リードのイメージ図である。
【図２】中間部のナスカンとＤカンをはずして、支柱等につないだイメージ図である。
【符号の説明】
【０００５】１  Ｄカン
２  ナスカン
【図１】
0003105500.tif 000003
【図２】
0003105500.tif 000004
【手続補正書】
【提出日】平成16年6月15日(2004.6.15)
【手続補正１】
【補正対象書類名】実用新案登録請求の範囲
【補正対象項目名】全文
【補正方法】変更
【補正の内容】
【実用新案登録請求の範囲】
【請求項１】
手元とリード先端のナスカンの間にもう一箇所１のＤカンと２のナスカンを付け加えることを特徴とする、ねじれを防止したリード。
(57)【要約】【課題】入れ物の取り出し口を柔軟な部品を用い、開いた形状と閉じた形状の保持を可能にすることにより、入れ物への物の出し入れを容易にし、且つ身につけた際の違和感を軽減すること。又、取り出し口を連結させ内容物の分類を容易にする。【解決手段】２種類の弾力性の有る部分が関節部分によって繋がれ輪が作り出されてあり、一方の弾力性の有る部分（１）は弓形に成型されていて、もう一方の部分（２）は弓形の部分の両端が内側に力を加えることにより撓っている。撓る方向は輪の内側と外側の２方向であり、輪の閉じた状態と開いた状態での形状を保つことが可能になる。又２つ以上の輪を、弓形の部分（１）の中間部と内側と外側に撓る部分（２）の中間部を接着することにより連結する。このような構造を入れ物の取り出し口に用いる。【選択図】  図７
0003105483.tif 000002
【実用新案登録請求の範囲】
【請求項１】
入れ物の取り出し口において２種類の弾力性の有る部分が関節部分によって繋がれ輪が作り出されてあり、一方の弾力性の有る部分は弓形に成形されていて、もう一方の部分は弓形の部分の両端が内側に力を加えることにより撓っている。撓る方向は輪の内側と外側の２方向であり、輪の閉じた状態と開いた状態での形状が保たれることにより、入れ物の取り出し口の開け閉めを行うことを特徴としたものである。
【請求項２】
２つ以上の輪を、弓形の部分の中間と内側と外側に撓る部分の中間を繋げることにより連結する。
【考案の詳細な説明】
【０００１】
【考案の属する技術分野】本考案は、柔軟性のある入れ物の取り出し口に関するものである。
【０００２】
【従来の技術】従来、入れ物の取り出し口を開いた形状に保ち又、閉じた形状に保つ技術は強固な金属製のフレームを用いたものが公知であり、一般的に蝦蟇口と呼ばれ、財布や集金用の鞄の取り出し口などに多く活用されている。
【０００３】
【考案が解決しようとする課題】従来、入れ物の取り出し口を開いた形状に保ち又、閉じた形状に保つ技術は強固な金属製のフレームを用いたものがあるが、身につけると強固なフレームが体に当たり、つけ心地が悪く、また取り出し口が柔軟でない為、入れる物の形が制限を受ける。又、内容物の分類が容易でない。
【０００４】
【課題を解決するための手段】２種類の弾力性の有る部分が関節部分によって繋がれ輪が作り出されてあり、一方の弾力性の有る部分は弓形に成形されていて、もう一方の部分は弓形の部分の両端が内側に力を加えることにより撓っている。撓る方向は輪の内側と外側の２方向であり、輪の閉じた状態と開いた状態での形状を保つことが可能になり。その構造を入れ物の取り出し口の開け閉めに利用する。またその構造を連結することにより内容物の分類を容易にすることができる。
【０００５】
【実施例】以下、本考案の実施例を図面を参考に説明する。
部分（１）には弓形に成形された板状のプラスチック素材を用いる。部分（２）にも板状のプラスチック素材を用いるが、その素材のは（１）の両端が内側に力を加えることにより輪の内側と外側に撓りその形を保持するぐらいの柔軟性と弾力性を持った素材を用いる必要がある為、部品（１）より厚みが薄い成形されていない真直ぐな素材を用い又、部分（２）の関節部分を設ける辺と辺との距離は弓形の部品（１）の内側に添わせことを可能にする為に弓形の部分（１）のそれに対応する部分の距離より若干短くする。それらの２枚の材料を蝶番（３）を用い繋げ輪を作り出すのだが取り出し口に指が掛り開き易くする為に部分（１）と（２）の最上部を同じ位置に揃えないで繋ぐものとする。又２つ以上の輪を、弓形の部分（１）の中間部と内側と外側に撓る部分（２）の中間部を接着することにより２つ以上の輪が連結する。
【０００６】
【考案の効果】入れ物の取り出し口が開いた形状と閉じた形状の保持が可能になり、容易に物の出し入れができる。強固なフレームでできた固定された形の取り出し口と違い、柔軟性があり取り出し口が開いた状態でも変形する為入れる物の形に制限を受けないで取り出し口を通すことができ、その柔軟さと弓形をしていることにより、身につけても違和感が少ない。又、構造上取り出し口を連結することが可能で内容物の分類に役立つ。
【図面の簡単な説明】
【図１】該考案が閉じた形状を保持している状態の斜視図
【図２】該考案が開いた形状を保持している状態の斜視図
【図３】該考案が閉じた形状を保持している状態の上面図
【図４】該考案が開いた形状を保持している状態の上面図
【図５】該考案が連結され開いた形状を保持している状態の斜視図
【図６】該考案が連結され閉じた形状を保持している状態の斜視図
【図７】該考案を柔軟な入れ物の取り出し口に活用した場合の参考図
【符号の説明】
１  弓形に成形されたの弾力のある素材
２  内側と外側に撓る弾力のある素材
３  蝶番
【図１】
0003105483.tif 000003
【図２】
0003105483.tif 000004
【図３】
0003105483.tif 000005
【図４】
0003105483.tif 000006
【図５】
0003105483.tif 000007
【図６】
0003105483.tif 000008
【図７】
0003105483.tif 000009
【手続補正書】
【提出日】平成15年7月11日(2003.7.11)
【手続補正１】
【補正対象書類名】明細書
【補正対象項目名】実用新案登録請求の範囲
【補正方法】変更
【補正の内容】
【実用新案登録請求の範囲】
【請求項１】
２種類の弾力性の有る部分が関節部分によって繋がれ輪が作り出されてあり、その２種類の弾力性の有る部分の内、一方の部分は弓形に成形されていて、もう一方の部分は弓形の部分の両端が内側に力を加えることにより撓っていて、その撓る方向は輪の内側と外側の２方向であり、輪の閉じた状態と開いた状態での形状が保たれることにより、取り出し口の開け閉めを行うことを特徴とした入れ物の取り出し口である。
【請求項２】
２つ以上の請求項１記載の輪を、弓形の部分の中間と、内側と外側に撓る部分の中間とを繋げることにより連結することを特徴とする請求項１記載の入れ物の取り出し口。
(57)【要約】      （修正有）【課題】紛失しにくいピアス用キャッチを提供する。【解決手段】装飾パーツ２と、ネジ４のついたピン３から構成されている。装飾パーツ２は素材、色、デザイン等は多種多様の物で対応可能。キャッチ５には、ピン３についているネジ４の部分を勘合させる際のホール９とネジ４をホール９に差し込む際に指先でネジ４を回しやすくするために、滑り止め８が施してある。さらに、ネジ４を勘合させた時のストッパーとして、キャッチ５の両端から三角形のネジ止め６が付いている。【選択図】図１
0003105485.tif 000002
【実用新案登録請求の範囲】
【請求項１】
従来のピアス用キャッチの装着部分が、はめ込み式のため、抜けやすく紛失しやすいため、キャッチをネジ式に改良したピアス。図１は本考案のピアスを耳に装着した図である。耳の穴にピンを差し込み、ピン３のネジ４の部分をホ−ル９に差し込み、指で、すべり止め８を回しながら耳たぶの厚さに合わせ、伸縮調整しながら、装着していく。図２は装飾パ−ツ２と、ネジ４のついたピン３から構成されている。ピン３は、キャッチ５と堪合させる際にネジ４を回しながらホ−ル９に差し込む。装飾パ−ツは素材、色、デザイン等は多様多種の物で対応可能。図３はネジ式ピアスのキャッチ全体の図である。キャッチ５には、ピン３についているネジ４の部分を堪合させる際のホ−ル９と、ネジ４をホ−ル９に差し込む際に指先でネジ４を回すための滑り止め８のギザギザの細工が施してある。さらに、ネジ４を堪合させた時のストッパ−として、キャッチ５の両端から三角形のネジ止め６が付いている。図４はピン３とキャッチ５の堪合図である。ピン３のネジ４の部分をキャッチ５のホ−ル９の部分に差し込み、指先で滑り止め８を持ち、回しながらピン全体を差し込んでいく。さらに、キャッチ５に付いているネジ止め６は、ネジ４のストッパ−となり、ネジ４の先端がネジ止め６の末端部分で止まるように構成されている。
【考案の詳細な説明】
【考案の詳細な説明】
【考案が属する技術分野】
【０００１】本考案はピアス用キャッチに関する物である。
【背景技術】
【０００２】従来のピアス用キャッチは、多様多種の物が出回っているが、基本的には、はめ込みタイプの物が多く、小さな衝撃でも紛失しやすい点がある。
【考案が解決しようとする課題】
【０００３】本考案は紛失しにくいピアス用キャッチを提供することを目的とすものである。
【課題を解決するための手段】
【０００４】本考案は、従来のピアス用キャッチの部分を、はめ込み式タイプの物からネジ式に細工を施し、ピアス装着後の紛失を防止できることを最も主要な特徴とする。図１はピアスを耳に装着したときの全体図である。ピン３にネジ細工４を施し、これと堪合するキャッチ５のホール９にネジ４を指で回しながら差し込む。指で回しやすいようにキャッチ５の回りには、すべり止め８になるようにギザギザの細工を施す。装着後はストッパ−としてのネジ止め６により、水平に固定させる。
【考案を実施するための最良の形態】
【０００５】既存のピアスのピンにネジを施し、キャッチにネジ止めをつけて従来のピアスのイメージを損なわずに機能性を重視したもので実現。
【実施例】
【０００６】図１は、本考案装置の全容である。１耳たぶ、２装飾パーツ、３ピン、４ネジ、５キャッチ、６ネジ止め、７金メッキ等の塗料、８すべり止め、９ピンホール
【考案の効果】
【０００７】以上の説明のように、ピアスのピンの部分にネジ細工を施すことによって、ピアス装着時の紛失を防止でき、長期間、安心して装着できる。
【図面の簡単な説明】
【図１】ネジ式ピアスの装着状態の実施例である。
【図２】ピアスのピンの説明図である。
【図３】図１のキャッチの説明図である。
【図４】図２のピンと図３のキャッチの結合状態を示す説明図である。
【符号の説明】
１  耳たぶ
２  装飾パ−ツ
３  ピン
４  ネジ
５  キャッチ
６  ネジ止め
７  金メッキ等の塗料
８  すべり止め
９  ピンホ−ル
【図１】
0003105485.tif 000003
【図２】
0003105485.tif 000004
【図３】
0003105485.tif 000005
【図４】
0003105485.tif 000006
【手続補正書】
【提出日】平成16年2月23日(2004.2.23)
【手続補正１】
【補正対象書類名】実用新案登録請求の範囲
【補正対象項目名】全文
【補正方法】変更
【補正の内容】
【実用新案登録請求の範囲】
【請求項１】
（１）ピアス用キャッチの装着部分を紛失防止の為にネジ加工したピアス。
（２）一端に任意の素材で装飾パーツを取り付けたピンの部分に凸凹のついたネジ細工を施したピアス用のピン。
（３）請求項（２）の凹凸のネジ加工したピンにキャッチを回しながら堪合させる際に指先が当たるキャッチの周縁を指先のすべり止めとして波形に形成させたピアス用キャッチ。
（４）装着後のピンの先端を固定させるものとして、請求項（３）のキャッチの両端から、ピン挿通路の先端に向けてＶ字形に形成し、装着後のピン先をＶ字形の頂角の部分に充てて固定させたピアス用キャッチ。
【手続補正書】
【提出日】平成16年6月14日(2004.6.14)
【手続補正１】
【補正対象書類名】実用新案登録請求の範囲
【補正対象項目名】全文
【補正方法】変更
【補正の内容】
【実用新案登録請求の範囲】
【請求項１】
・ピアス用キャッチの装着部分を紛失防止の為にネジ加工したピアス。
【請求項２】
・一端に任意の素材で装飾パーツを取り付けたピンの部分に凹凸のついたネジ細工を施したピアス用のピン。
【請求項３】
・請求項２の凹凸のネジ加工したピンにキャッチを回しながら堪合させる際に指先が当たるキャッチの周縁を指先のすべり止めとして波形に形成させたピアス用キャッチ。
【請求項４】
・装着後のピンの先端を固定させるものとして、請求項３のキャッチの両端から、ピン挿通路の先端に向けてＶ字形に形成し、装着後のピン先をＶ字形の頂角の部分に充てて固定させたピアス用キャッチ。
(57)【要約】【課題】  色温度と配光特性を改善した業務用、放送用のフィルム、ビデオ撮影の用途に供するＬＥＤ白色光照明装置の提供。【解決手段】  青色ＬＥＤに色温度を調整した蛍光体配合のシリコンゴム製蛍光キャップを被せ、発光色温度を改善する。【選択図】  図１
0003105489.tif 000002
【実用新案登録請求の範囲】
【請求項１】
業務用、放送用のフィルム（写真、映画）撮影や同ビデオ撮影の用途に供するために要求される色温度で発光するＬＥＤ照明装置を提供する。
【考案の詳細な説明】
【技術分野】
【０００１】  本考案はＬＥＤを映画、ビデオ撮影用照明装置に応用する際の色温度の改善に関するものである。
【背景技術】
【０００２】  これまでの白色発光ＬＥＤは色温度が高過ぎて、映画、ビデオ撮影用照明装置に応用すると正常な発色が得られず、色再現性に問題があり業務用やテレビ放送用の映画、ビデオ撮影には不向きであった。
【考案の開示】
【考案が解決しようとする課題】
【０００３】  現状ではハロゲンランプ等による照明装置と比較して光量が少ないＬＥＤ照明装置は被写体の部分的な陰影を補う目的の補助照明装置として使用されることが多く、主照明装置の照射光と比較して著しく色温度が高いＬＥＤ照明装置では被写体のＬＥＤによる照射光があたる部分の色調を崩してしまう問題がある。これは映画に比して色温度に対する許容量が大きいビデオの撮影でも同様で、ホワイトバランス調整を主照明光に対して行うのためＬＥＤからの補助光による色調の崩れは避けられなかった。今まではこの問題に対して光量を犠牲にする色温度補正フィルターをＬＥＤ照明装置と併用する以外に対策手段がなかった。【０００４】  ＬＥＤの製造元に対して発光色温度の調整を申し入れて業務、放送用フィルム、ビデオ撮影に適したＬＥＤの調達も解決手段のひとつであるが、製造元が請け負ったとしても特注品対応となって単価が上がり、また製造元の諸般の事情により不必要に多量の発注、購入が条件になってしまうので装置製造側の在庫増大などの経済的負担が大きく実行は困難であった。
【課題を解決するための手段】
【０００５】  白色ＬＥＤは青色ＬＥＤの光源となる半導体部分を蛍光体で覆った構造であり、その発光色温度は蛍光体の成分配合によって決まることに着目し、必要な色温度で発光するよう調合された蛍光体を配合したシリコンゴムでＬＥＤの形状に合わせた蛍光キャップを製作、青色ＬＥＤに被せることで色温度の問題を解決。同時に蛍光キャップはそれ自体が発光するので理想的な拡散光が得られる。
【考案の効果】
【０００６】  ＬＥＤとは独立した部品として蛍光キャップの製造、調達が比較的少量から可能になり、また蛍光物質の成分調整により発光色温度を変えられるので、必要な色温度で発光するＬＥＤ光源を低コストで用意することが可能になった。【０００７】  ハロゲンランプ等の異種の主照明装置に補助照明としてＬＥＤ照明装置を併用する際に問題となっていた色温度の不適合による発色の不良がＬＥＤの光量を損なう補正フィルターの併用なしで解決できた。【０００８】  特に映画では撮影に使われるフィルムが光源の色温度によって一般に自然光とされる５６００ケルビンに適合するデーライトタイプと一般的に照明光の色温度とされる３２００ケルビンに適合するタングステンタイプの２種類が使われており、それぞれに適した色温度のＬＥＤ照明装置の提供が可能になった。さらに従来品では３２００ケルビンに適合させるために大幅に光量を落としてしまう色温度補正フィルターの併用が必須であった欠点が解消された。これらの利点は映画と同様にフィルムを使用するスライド映写等の事後の色補正が出来ない用途の写真撮影などにおいても有効である。
【考案を実施するための最良の形態】
【０００９】  蛍光キャップを装着した青色ＬＥＤは単独では光量が少なく、必要な光量を得るために複数個のＬＥＤをプリント基板にアレイ状に実装して光源とし、その光源を照明装置の筐体に組み込むことで装置を完成させる。
【実施例】
【００１０】  以下添付図面に従って一実施例を説明する。図１の１は青色ＬＥＤ本体、２は青色ＬＥＤに装着した状態の蛍光キャップである。図２は光源となるモジュールの模式図で、図中の３は図１に示す蛍光キャップを装着した青色ＬＥＤ。それを必要な光量を得るために複数個を４のプリント基板上に実装している。
【図面の簡単な説明】
【００１１】
【図１】本考案の蛍光キャップ付青色ＬＥＤである。
【図２】光源として必要な光量を得るために複数のＬＥＤをモジュール化した模式図である。
【符号の説明】
【００１２】  １  青色ＬＥＤ
２  蛍光キャップ
３  蛍光キャップ装着状態の青色ＬＥＤ
４  プリント基板
【図１】
0003105489.tif 000003
【図２】
0003105489.tif 000004
【手続補正書】
【提出日】平成16年7月5日(2004.7.5)
【手続補正１】
【補正対象書類名】実用新案登録請求の範囲
【補正対象項目名】全文
【補正方法】変更
【補正の内容】
【実用新案登録請求の範囲】
【請求項１】
青色光ＬＥＤに蛍光体配合のシリコンゴム製蛍光キャップを被せたものを光源に使用することによって所要の色温度で発光する業務用、テレビ放送用のフィルム、ビデオ撮影用ＬＥＤ白色光照明装置。
(57)【要約】【課題】１台のスピーカー装置だけで、音質、音量に優れ、ステレオ方式の音響効果も抜群で臨場感溢れる音場空間を作り出すこと。【解決手段】太鼓型筒体又は樽型筒体の両側開口にスピーカーユニットを組み付け、胴部には音抜き窓を形成した。【選択図】図１
0003105482.tif 000002
【実用新案登録請求の範囲】
【請求項１】
太鼓型筒体又は樽型筒体の両側開口にスピーカーユニットを組み付け、胴部には音抜き窓を形成したことを特徴とするスピーカー装置。
【請求項２】
音抜き窓は、上各記筒体の胴部中央に形成され、聴者側に向けられている請求項１に記載のスピーカー装置。
【請求項３】
上記各筒体は、木製、紙製、合成樹脂製あるいは金属製のいずれかである請求項１又は請求項２に記載のスピーカー装置。
【考案の詳細な説明】
【技術分野】
【０００１】  本考案は、スピーカーユニットの組み付けられる側に太鼓型筒体又は樽型筒体を用いたスピーカー装置に関するものである。
【背景技術】
【０００２】  スピーカの音質や音量を高め、ステレオ方式の音響効果を最大限に引き出すため、従来から箱型キャビネットの内部に工夫を凝らしたスピーカー装置が種々提案されている。例えば特許文献１には、箱型キャビネットの内部に、互いに内方に傾斜されて向き合い、取付方向軸線が前方で交差するよう配置された２分割のバッフル板にスピーカーユニットを取り付けたスピーカー装置が開示されている。【０００３】  上記スピーカー装置によると、スピーカーユニットからの音が前方で交差して干渉し、より大きい音を創出させることで、臨場感のある優れた音場空間を実現できるというものである。【０００４】
【特許文献１】特開平６−１０５３８５号
【考案の開示】
【考案が解決しようとする課題】
【０００５】  ところが、上記従来例を含め、現在のところ提案されているすべてのスピーカー装置は、少なくとも一対は必要不可欠であり、いわゆる音響マニアによっては、同種あるいは別種のスピーカ装置を二対以上室内に配置して臨場感のある立体的な音場空間を作り出しているのが現状である。【０００６】  本考案は、従来例のような装置一対ではなく、１台だけの装置によって、音質、音量に優れ、ステレオ方式の音響効果も抜群で臨場感溢れる音場空間を作り出すことを課題とする。
【課題を解決するための手段】
【０００７】  上記課題を解決するための本考案のスピーカー装置は、太鼓型筒体又は樽型筒体の両側開口にスピーカーユニットを組み付け、胴部には音抜き窓を形成したことを特徴とする。
【考案を実施するための最良の形態】
【０００８】  以下に、本考案の実施の形態を図面に基いて説明する。図１は、本考案によるスピーカー装置の全体斜視図である。図中、符号１は、両側が開口された太鼓型筒体である。この太鼓型筒体１の材質は、木製が最も好ましいが、厚紙製、合成樹脂製あるいは金属製のものでもよい。太鼓型筒体１の両側開口２には支持円盤３が固設され、この支持円盤３を介してスピーカーユニット４が開口２に組み付けられている。なお、図では一方側の組付状態だけが示されている。スピーカーユニット４は、本実施の形態では、高音域スピーカーとマルチスピーカーからなっているが、スピーカーの組み合わせに制限はない。また、太鼓型筒体１の胴部中央には音抜き窓５が形成されている。この音抜き窓５は、太鼓型筒体１内で発生するスピーカ音を外部に逃がす働きをすると共に、第２のスピーカーの役目をも果たしている。そのため、この音抜き窓５は、聴者側に向けられるのが好ましい。音抜き窓５の形状は、この実施の形態では円形を例にしているが、音抜きができるものであれば、円形以外のあらゆる形状も可能である。なお、スピーカーユニット４は、配線６を介して図示しないアンプ側に接続されている。【０００９】  このスピーカー装置によると、スピーカーユニット４からの音は、太鼓型筒体１の両側から出ることになるので、このスピーカー装置１台だけでステレオ方式の音響効果を実現することができる。また、音は主に室内の壁面を反射して室内を満たすので、音量を落としても、音響効果が劣ることもなく、臨場感溢れた音場空間を作り出すことができる。【００１０】  なお、上記実施の形態では、スピーカーユニット４の組み付けられる側を太鼓型筒体１で説明したが、樽型筒体（図示は省略。）を用いても同様の効果を得ることができる。この場合でも、その材質は木製が好ましいが、厚紙製、合成樹脂製あるいは金属製であってもよい。
【発明の効果】
【００１１】  以上説明したように、本スピーカー装置では、スピーカーユニットを太鼓型筒体又は樽型筒体の両側開口に組み付けたので、このスピーカー装置１台だけでステレオ方式の音響効果を実現することができ、また，胴部に形成した音抜き窓と相俟って、臨場感溢れた音場空間を作り出すこともできる。
【図面の簡単な説明】
【００１２】
【図１】本考案によるスピーカー装置の実施の形態を示す全体斜視図である。
【符号の説明】
【００１３】１    太鼓型筒体（樽型筒状体）
２    開口
３    支持円盤
４    スピーカーユニット
５    音抜き窓
６    配線
【図１】
0003105482.tif 000003
(57)【要約】      （修正有）【課題】殺虫剤等のエアゾール缶において、従来、このエアゾール缶を指で挟む箇所を握りやすくすることにより、すべりにくくすると共に、見た目にも体裁のよいエアゾール缶を開発・提供する。【解決手段】エアゾール缶において、缶本体１の側面上部付近に、凹溝２するか、あるいは、エアゾール缶において、缶本体１の側面上部付近に、断面形状が波状の凹凸を形成したことを特徴とするエアゾール缶。【選択図】図１
0003105427.tif 000002
【実用新案登録請求の範囲】
【請求項１】
エアゾール缶において、缶本体（１）の側面上部付近に、凹溝（２）を形成したことを特徴とするエアゾール缶。
【請求項２】
エアゾール缶において、缶本体（１）の側面上部付近に、断面形状が波状の凹凸（３）を形成したことを特徴とするエアゾール缶。
【考案の詳細な説明】
【技術分野】
【０００１】
この考案は、エアゾール缶に関するものである。
【背景技術】
【０００２】
従来、殺虫剤等のエアゾール缶は、親指と、人指し指を除く他の指で缶を挟むように握りながら、人指し指で缶の上面に設けた噴霧ボタンを押して使用している。
【０００３】
しかし、缶本体は筒状体であり、缶の周側面は面一であり、すべり易く、缶本体を握り難いものであった。
【０００４】
また、内部に清酒等の酒類を入れるアルミニウム製の缶の表面に、装飾性を有するように凹凸模様を設けたものは存在した。（例えば、特許文献１のように）
【特許文献１】登録第３０９６０８２号実用新案公報
【考案の開示】
【考案が解決しようとする課題】
【０００５】
そこで、この考案は、殺虫剤等のエアゾール缶を握りやすくし、見た目にも美麗なエアゾール缶を開発・提供することにある。
【課題を解決するための手段】
【０００６】
この考案によるエアゾール缶は、缶の側面であって、手で握る部分に、凹溝や凹凸溝の防滑手段も設けるよう構成したものである。
【考案の効果】
【０００７】
この考案によるエアゾール缶によると、缶本体の手で握る箇所に凹溝や断面形状が波状の凹凸を形成したため、握り易く、滑り難くなり、また、見た目にもデザイン的である等有効なる効果を奏するものである。
【考案を実施するための最良の形態】
【０００８】
以下、図面とともにこの考案によるエアゾール缶の好適な実施の形態について詳細に説明する。図１はこの考案を適用するエアゾール缶の一実施例を示す正面図であり、図２はこの考案を適用するエアゾール缶を示す他の実施例を示す正面図である。
【０００９】
次に、この考案の一実施例を図１に基づいて説明すると、エアゾール缶において、缶本体（１）の上部側面に、凹溝（２）を形成したことを特徴とするエアゾール缶から構成される。尚、凹溝（２）は、側面の全周に渡って設けてもよく、また、一部であってもよい。
【００１０】
また、この考案の一実施例を図２に基づいて説明すると、エアゾール缶において、缶本体（１）の上部側面に、断面形状が波状の凹凸（３）を形成したことを特徴とするエアゾール缶から構成される。尚、凹凸（３）は、側面の全周に渡って設けてもよく、また、一部であってもよい。
【産業上の利用可能性】
【００１１】
この考案の、製造技術および製造方法を確立し、かつ寄与する点で、産業上の利用可能性を有する。
【図面の簡単な説明】
【００１２】
【図１】この考案の一実施例を示す正面図である。
【図２】この考案の他の実施例を示す正面図である。
【符号の説明】
【００１３】
１  缶本体
２  凹溝
３  断面形状が波状の凹凸
【図１】
0003105427.tif 000003
【図２】
0003105427.tif 000004
(57)【要約】      （修正有）【課題】ドアを押して開く時、反対側に人が居るか、居ないかを確認でき、安全にドアを開けることができる安全確認装置の提供。【解決手段】ドアの引く側に人感センサー１を付け、押す側に発光体２を付け、センサーが人を感知すると発光体が発光４し、押してドアを開けようとする人に、ドアを引く側のドア作動範囲３近くに人が居ることを知らせる。またその範囲に人６が近付いてきて、ドアを押して開いた時に、人にぶつかる危険を回避する。【選択図】図２
0003105434.tif 000002
【実用新案登録請求の範囲】
【請求項１】
ドアの押す側に発光体を付け、引く側に人感センサーを付けて、人を感知したら発光体が発光する装置。
【請求項２】
ドアの押す側に発光体を付け、引く側に人感センサーを付けて、人を感知したら発光体が発光する装置を付けたドア。
【考案の詳細な説明】
【技術分野】
【０００１】本考案はドアを押して開くとき、反対のドアを引いて開く側のドアの作動範囲に人がいて、またその範囲に人が近付いて来て、ドアを押して開いた時に、人にぶつかる危険を回避するための警報に関する。
【背景技術】
【０００２】従来はドアの一部に明かり取りの小窓を付けて、室内で点灯していることを確認できるドアや、室内で鍵を掛けると室外側に鍵が掛かっていることを表示するものがあったが、点灯しない場合もあるし、消し忘れもあり、確実に人が居ることを知らせるものでは無かった。
又表示錠は鍵を締めないとならず、使用する場所が限られていた。
【考案の開示】
【考案が解決しようとする課題】
【０００３】従来、洗面所などの狭い部屋で部屋内にドアを開く場合、部屋内に人が居ることを知らずにドアを開けて、ドアや取っ手が部屋内の人にぶつかったり、通路の側壁のドアを通路側に開いた時、歩いてきた人にぶつかって、思いがけない怪我をするという問題点があった。
【課題を解決するための手段】
【０００４】上記の問題を解決するために、扉の押す側に発光体を取り付け、反対側の引く側に熱感センサーやレーダー感知機の様な人感センサーを付けて、人をセンサーが感知したら、ドアを押す側の発光体が発光して、人が居ることを知らせるようにした。
【考案の効果】
【０００５】発光体の発光によりドアを押して開く人が、ドアの向こう側のドアの作動範囲近くに、人が居ることを確実に知り、注意してドアを押すことが出来る。
【図面の簡単な説明】
【０００６】
【図１】ドアの正面図で  左図は引く側  右図は押す側正面図である。
【図２】センサー感知時の平面図である。
【符号の説明】
【０００７】１  人感センサー
２  発光体
３  人感センサーの作動範囲
４  発光体の発光
５  開いてゆくドア
６  歩いて来る人
【図１】
0003105434.tif 000003
【図２】
0003105434.tif 000004
(57)【要約】【課題】  化成品の再生シート材料に大豆油成分を含んでいる紫外線硬化型インキを使用することで、環境への負荷を低減できる印刷物を提供する。【解決手段】  トウモロコシ等から製造されるＰＬＡ（ポリ乳酸）を主原料としたプラスチック材料（Ａ）に、大豆油成分が含まれ且つＶＯＣ成分を含まない紫外線硬化型インキ（Ｂ）を用いて絵柄（２）などの印刷を施したクリアファイル（Ｆ）などの印刷物。【選択図】  図２
0003105416.tif 000002
【実用新案登録請求の範囲】
【請求項１】
トウモロコシ等から製造されるＰＬＡ（ポリ乳酸）を主原料にしたプラスチックフィルムシート材料に、大豆油成分が含まれ且つＶＯＣ成分を含まない紫外線硬化型インキを用いて絵や文字や写真などの印刷をほどこした印刷物。
【請求項２】
トウモロコシ等から製造されるＰＬＡ（ポリ乳酸）を主原料にしたプラスチックフィルムシート材料に、大豆油成分が含まれ且つＶＯＣ成分を含まない紫外線硬化型インキを用いて絵や文字や写真などの印刷をほどこしたクリアファイル。
【請求項３】
トウモロコシ等から製造されるＰＬＡ（ポリ乳酸）を主原料にしたプラスチックフィルムシート材料に、大豆油成分が含まれ且つＶＯＣ成分を含まない紫外線硬化型インキを用いて絵や文字や写真などの印刷をほどこしたポスター。
【請求項４】
トウモロコシ等から製造されるＰＬＡ（ポリ乳酸）を主原料にしたプラスチックフィルムシート材料に、大豆油成分が含まれ且つＶＯＣ成分を含まない紫外線硬化型インキを用いて絵や文字や写真などの印刷をほどこしたポップ。
【請求項５】
トウモロコシ等から製造されるＰＬＡ（ポリ乳酸）を主原料にしたプラスチックフィルムシート材料に、大豆油成分が含まれ且つＶＯＣ成分を含まない紫外線硬化型インキを用いて絵や文字や写真などの印刷をほどこしたパッケージ。
【請求項６】
トウモロコシ等から製造されるＰＬＡ（ポリ乳酸）を主原料にしたプラスチックフィルムシート材料に、大豆油成分が含まれ且つＶＯＣ成分を含まない紫外線硬化型インキを用いて絵や文字や写真などの印刷をほどこした下敷き。
【請求項７】
トウモロコシ等から製造されるＰＬＡ（ポリ乳酸）を主原料にしたプラスチックフィルムシート材料に、大豆油成分が含まれ且つＶＯＣ成分を含まない紫外線硬化型インキを用いて絵や文字や写真などの印刷をほどこしたウチワ。
【請求項８】
トウモロコシ等から製造されるＰＬＡ（ポリ乳酸）を主原料にしたプラスチックフィルムシート材料に、大豆油成分が含まれ且つＶＯＣ成分を含まない紫外線硬化型インキを用いて絵や文字や写真などの印刷をほどこしたノベルティー商品。
【請求項９】
トウモロコシ等から製造されるＰＬＡ（ポリ乳酸）を主原料にしたプラスチックフィルムシート材料に、大豆油成分が含まれ且つＶＯＣ成分を含まない紫外線硬化型インキを用いて絵や文字や写真などの印刷をほどこした販売促進商品。
【考案の詳細な説明】
【技術分野】
【０００１】  本考案は主として、大豆油成分を含む紫外線硬化型インキを用い、トウモロコシ等から製造されるＰＬＡ（ポリ乳酸）を主原料にしたプラスチックシート材料の印刷物に関する印刷する技術をクリアファイルやポスター等の印刷物に応用した。
【背景技術】
【０００２】  従来のクリアファイルやパッケージ等の印刷物に対する印刷には、揮発性有害物質（ＶＯＣ成分）を含む溶剤系インキ、又は紫外線硬化型オフセットインキが使用されていた。
一方、大豆油成分を含んだインキは、紙に対しては印刷できるが、トウモロコシ等から製造されるＰＬＡ（ポリ乳酸）を主原料としたプラスチック材料に対応できるＵＶ（紫外線硬化型）オフセットインキではなかった。
【考案が解決しようとする課題】
【０００３】  本考案は、ＶＯＣ成分が発生せず環境に配慮する印刷物を提供することを課題とする。
且つ石油系資源を原料としていないため、焼却の際も高い熱量の発生をせずに処分することができる。
【課題を解決するための手段】
【０００４】  本考案は、大豆油成分を含み且つＶＯＣ成分を含まない紫外線硬化型インキを使用し、トウモロコシ等から製造されるＰＬＡ（ポリ乳酸）を主原料としたプラスチック材料に印刷するものである。具体的には、植物系の生分解性プラスチック材料に対する印刷である。
【考案実施の形態】
【０００５】  図１は本考案の印刷物の一つであるクリアファイル（Ｆ）の斜視図である。印刷物である絵柄（２）はクリアファイル表面（１）の裏面から印刷している。図１でクリアファイル（Ｆ）の左辺（ｃ）は山折になっており、底辺（ｂ）は圧着されている。そのため左辺（ｃ）と底辺（ｂ）は閉じた状態になっている。上辺（ａ）と右辺（ｄ）は開口しており、ここから書類等をはさんで使用する。図２は図１で示したクリアファイル（Ｆ）の断面を示す概略図である。絵柄（２）は印刷後折り曲げてファイルの形にしているため、クリアファイル表面（１）の裏面とクリアファイル裏面（３）の裏面とに絵柄（２）や文字（図示せず）が印刷されている。そしてインキは大豆油成分を含み且つＶＯＣ成分を含まない紫外線硬化型インキ（Ｂ）を使用しているため、有機性有害物質（ＶＯＣ成分）がない印刷物であるクリアファイル（Ｆ）ができる。したがって、印刷を絵柄（２）や文字（図示せず）をクリアファイル表面１の裏面などに用いることで、安全で環境に優しく、利用者の識別が容易になるクリアファイル（Ｆ）などの印刷物を刷る事ができる。このような印刷方法で、トウモロコシ等から製造されるＰＬＡ（ポリ乳酸）を主原料としたプラスチック材料（Ａ）に印刷し、クリアファイル（Ｆ）以外の印刷物でも表刷・裏刷を問わず、ポスターやポップやパッケージや下敷やウチワやノベルティー商品や販売促進商品等として使用できる。
【考案の効果】
【０００６】  環境への負荷を低減させる事ができ、環境への配慮をしている事による安堵感を得られる。
大豆油成分を含むインキを使用し、トウモロコシ等から製造されるＰＬＡ（ポリ乳酸）を主原料としたプラスチック材料に印刷しても、従来のクリアファイルやポスター等と同等の品質で印刷することができる。
【図面の簡単な説明】
【図１】  本考案の印刷物であるクリアファイルの斜視図。
【図２】  図１のクリアファイルの断面を示す概略図。
【符号の説明】
Ｆ  クリアファイル（印刷物）
１  クリアファイル表面
２  絵柄
３  クリアファイル裏面
Ａ  トウモロコシ等から製造されるＰＬＡ（ポリ乳酸）を主原料としたプラスチック材料
Ｂ  大豆油成分を含むＵＶインキ
ａ  上辺
ｂ  下辺
ｃ  左辺
ｄ  右辺
【図１】
0003105416.tif 000003
【図２】
0003105416.tif 000004
(57)【要約】【課題】      外部からの衝撃に強く、安全性の高い補強構造を具えるヘルメットを提供する。【解決手段】  ハウジングの外部表面に凹溝を形成し、該ハウジングの材質に比して強度の高い材質で形成した増強ブロックを該凹溝に増強ブロックを嵌着する。【選択図】    図１
0003105412.tif 000002
【実用新案登録請求の範囲】
【請求項１】
ハウジングの外部表面に、該ハウジングの材質に比して強度の高い材質で形成した増強ブロックを設けてなることを特徴とするヘルメット。
【請求項２】
前記ハウジングの外部表面に、少なくとも一以上の凹溝を形成し、該増強ブロックを該凹溝に嵌着するとともに、該増強ブロックの外周には環状の嵌合溝を形成して補填リングを該嵌合溝に嵌合させ、該増強ブロックを該凹溝に嵌着する場合、該補填リングが圧入され該凹溝の内壁に緊密に当止するように構成することを特徴とする請求項１に記載のヘルメット。
【請求項３】
前記凹溝の外周には面取り部を形成することを特徴とする請求項２に記載のヘルメット。
【考案の詳細な説明】
【技術分野】
【０００１】
本考案は、ヘルメットに関するものであり、さらに詳しくは、ヘルメットの強度を増強する構造に関するものである。
【背景技術】
【０００２】
従来のヘルメットは、図５に開示するようにハウジング（１）を具えてなり、該ハウジング（１）は、通常ＡＢＳ樹脂を一体成形してなるものであるが、ＡＢＳ樹脂は材質の強度が比較的弱いという難点を有している。このため外部からの強烈な衝撃を受けると、ハウジング（１）は容易に破裂し、使用者の頭部が強烈な衝撃を受ける。即ち、従来のヘルメットにおけるハウジング（１）は、使用者の頭部を効率良く保護することができず、安全性に欠けるものといえる。
【考案の開示】
【考案が解決しようとする課題】
【０００３】
従って、本考案の課題は、外部からの衝撃に強く、安全性の高い補強構造を具えるヘルメットを提供することにある。
【０００４】
また、本考案は、該補強構造の取り替えが容易なヘルメットを提供することを課題とする。
【課題を解決するための手段】
【０００５】
そこで、本考案者は、従来の技術に見られる欠点に鑑み鋭意研究を重ねた結果、ハウジングの外部表面に凹溝を形成し、該凹溝に増強ブロックを嵌着してなるヘルメットの構造によって課題を解決できる点に着眼し、かかる知見に基づいて本考案を完成させた。
【０００６】
以下、本考案について具体的に説明する。
請求項１に記載するヘルメットは、ハウジングの外部表面に、該ハウジングの材質に比して強度の高い材質で形成した増強ブロックを設けてなるものである。
【０００７】
また、請求項２に記載するヘルメットは、請求項１におけるハウジングの外部表面に、少なくとも一以上の凹溝を形成し、該増強ブロックを該凹溝に嵌着するとともに、該増強ブロックの外周には環状の嵌合溝を形成して補填リングを該嵌合溝に嵌合させ、該増強ブロックを該凹溝に嵌着する場合、該補填リングが圧入され該凹溝の内壁に緊密に当止するように構成したものである。
【０００８】
さらに、請求項３に記載するヘルメットは、請求項２における凹溝の外周に面取り部を形成する。
【考案の効果】
【０００９】
本考案のヘルメットは、外部からの衝撃に対する強度を高めるとともに、補強構造部の取り替えが容易であるという利点がある。
【００１０】
また、本考案のヘルメットは、成製造コストを低減できるという利点がある。
【考案を実施するための最良の形態】
【００１１】
本考案は、外部からの衝撃に強いヘルメットを提供することを目的とし、ヘルメットのハウジングに凹溝を形成し、該凹溝に増強ブロックを嵌着して構成する。
かかる構成のヘルメットについて、その構造と特徴を詳述するために具体的な実施例を挙げ、以下に説明する。
【実施例１】
【００１２】
本考案によるヘルメットは、図１に開示するように、外部表面に少なくとも１以上の凹溝（１１）を形成し、ハウジング（１）に比して衝撃に強い増強ブロック（２）を該凹溝（１１）に嵌着させる。図２に開示するように、増強ブロック（２）の底面は、凹溝（１１）に密着させる。また、増強ブロック（２）の外周には環状の嵌合溝（２１）を形成し、補填リング（３）を該嵌合溝（２１）に嵌合させて、該補填リング（３）が嵌合溝（２１）に緊密に嵌着した状態にする。よって、増強ブロック（２）を凹溝（１１）に嵌着する場合、補填リング（３）が圧入され凹溝（２）の内壁に緊密に当止し、増強ブロック（２）が安定して凹溝（１１）に嵌着する。
【００１３】
また、該の凹溝（１１）の外周には面取り部（１２）を形成する。面取り部（１２）を形成することによって、増強ブロック（２）が損傷した場合、図２に開示するように工具（Ｔ）の一端を面取り部（１２）から補填リング（３）を嵌合溝（２１）から除去し、増強ブロック（２）を取り替えることができる。
【００１４】
ヘルメットのハウジング（１）はＡＢＳ樹脂で一体成形する。増強ブロック（２）は、ＡＢＳ樹脂に比して衝撃に強いプラスチック材で形成する。
【００１５】
該増強ブロックは少なくとも１以上設ける。図３、図４は、それぞれ異なる位置に増強ブロックを設けた場合の実施例である。
【００１６】
本考案によるヘルメット（Ａ）は、外部表面に増強ブロック（２）を結合させた構造によって、衝撃に対する強度を高めた構造を具える。よって、外部からの衝撃を受けた場合、ヘルメット（Ａ）の破損を効率よく防ぎ、使用者の頭部を保護する作用と、好ましい安全性を具える。また、本考案によるヘルメット（Ａ）は全体を強度の高い材質で成形する必要がなく、従来の材質（ＡＢＳ樹脂）で成形した上に、強度の高い増強ブロック（２）を設けるだけで、ヘルメット（Ａ）の全体的構造の強度を効率よく高めることができる。よって、製造コストを節約することができる。
【００１７】
以上は本考案の好ましい実施例であって、本考案の実施の範囲を限定するものではない。よって、当業者のなし得る修正、もしくは変更であって、本考案の精神の下においてなされ、本考案に対して均等の効果を有するものは、いずれも本考案の実用新案登録請求の範囲に属するものとする。
【図面の簡単な説明】
【００１８】
【図１】本考案によるヘルメットの分解図である。
【図２】本考案における増強ブロックを交換する場合の動作を示した説明図である。
【図３】本考案によるヘルメットの他の実施形態を示した斜視図である。
【図４】本考案によるヘルメットのその他の実施形態を示した斜視図である。
【図５】従来のヘルメットの斜視図である。
【図６】図５に開示するヘルメットの断面構造を示した説明図である。
【符号の説明】
【００１９】
Ａ            ヘルメット
１            ハウジング
１１          凹溝
１２          面取り部
２            増強ブロック
２１          嵌合溝
３            補填リング
Ｔ            工具
【図１】
0003105412.tif 000003
【図２】
0003105412.tif 000004
【図３】
0003105412.tif 000005
【図４】
0003105412.tif 000006
【図５】
0003105412.tif 000007
【図６】
0003105412.tif 000008
(57)【要約】【課題】金属被覆構造の散熱効果が好ましく、且つ、製品の汚染がなく、快速に、散熱片と結合して、生産効率と作業の便宜性を向上させると共に、作業時間を減少させる無鉛低温共晶遷移金属導熱片を提供する。【解決手段】金属基材片２，３と金属導熱片１と散熱器４とからなり、前記金属基材片２，３は、スズ、インジウム、ビスマス、及び、微量元素が組み合わされてなり、金属導熱片上下両面を被覆し、一つが前記金属導熱片上端を、もう一つが下端を被覆し、前記金属導熱片１は、散熱器４下方に設置され、前記散熱器４は、前記金属導熱片２，３の上方に設置され、前記散熱器４と前記金属導熱片１中間の前記金属基材片２，３を散熱することを特徴とする導熱片。【選択図】図１
0003105414.tif 000002
【実用新案登録請求の範囲】
【請求項１】
金属基材片と金属導熱片と散熱器とからなり、
前記金属基材片は、スズ、インジウム、ビスマス、及び、微量元素が組み合わされてなり、金属導熱片上下両面を被覆し、一つが前記金属導熱片上端を、もう一つが下端を被覆し、
前記金属導熱片は、散熱器下方に設置され、
前記散熱器は、前記金属導熱片の上方に設置され、前記散熱器と前記金属導熱片中間の前記金属基材片を散熱することを特徴とする無鉛低温共晶遷移金属導熱片。
【請求項２】
前記金属基材片が被覆する前記金属導熱片の共晶遷移温度の範囲は、５０〜７０℃であることを特徴とする請求項１に記載の無鉛低温共晶遷移金属導熱片。  
【考案の詳細な説明】
【技術分野】
【０００１】
本考案は、無鉛低温共晶遷移金属導熱片に関するものであって、特に、スズ、インジウム、ビスマス、及び、微量元素により、金属導熱片の銅箔基材上下両端を被覆し、その結合付着効果が、公知の導熱膏と比較すると、均一、且つ、密で、快速な導熱効果を達成できるものである。該金属導熱片上方に、散熱器を設置し、上端面に設けられたファンが、その散熱効果を増加させ、金属被覆構造の散熱効果が好ましく、且つ、製品の汚染がなく、快速に、散熱片と結合して、生産効率と作業の便宜性を向上させると共に、作業時間を減少させる。更に、金属導熱片と発熱素子の共晶遷移温度の範囲は５０〜７０℃で、故に、好ましい導熱係数が得られる。
【背景技術】
【０００２】
図５で示されるように、公知のＣＰＵは、散熱の目的を達成するため、散熱器底部に、導熱膏A、或いは、フィルムを塗布し、導熱膏Aとフィルムは、多くが含鉛である。導熱係数は金属と比べると劣り、また、公知の導熱膏Aとフィルムは、重複使用が出来ず、散熱に影響する。公知の導熱膏Aを素子上に塗布する時、人の手によるので、用量が制御され難く、分布が不均一になりやすい。塗布時間が長すぎると、溢れ出て、製品を汚染し、作業効率が悪くなる。
【特許文献１】特開２００１−２４４３９４号公報
【考案の開示】
【考案が解決しようとする課題】
【０００３】
よって、本考案は、上述の問題を解決するため、無鉛低温共晶遷移金属導熱片を提供することを目的とする。
【課題を解決するための手段】
【０００４】
本考案の無鉛低温共晶遷移金属導熱片は、請求項１に記載するように、金属基材片と金属導熱片と散熱器とからなり、
前記金属基材片は、スズ、インジウム、ビスマス、及び、微量元素が組み合わされてなり、金属導熱片上下両面を被覆し、一つが前記金属導熱片上端を、もう一つが下端を被覆し、
前記金属導熱片は、散熱器下方に設置され、
前記散熱器は、前記金属導熱片の上方に設置され、前記散熱器と前記金属導熱片中間の前記金属基材片を散熱することを特徴とする。
また、請求項２に記載するように、前記金属基材片が被覆する前記金属導熱片の共晶遷移温度の範囲は、５０〜７０℃であることを特徴とする。  
すなわち、図１、図２、及び、図３は、本考案の無鉛低温共晶遷移金属導熱片で、スズ、インジウム、ビスマス、及び、微量元素を組み合わせてなる金属基材片２、３により、金属導熱片１上下両端を被覆し、主要構造は、金属導熱片１、金属基材片２、３、散熱器４、及び、ファン５からなる。
金属導熱片１は、散熱器４下方に設置されると共に、金属導熱片１上下両面は、金属基材片２、３により被覆されて、快速な導熱効果を達成する。
金属基材片２、３は、金属導熱片１上下両面を被覆し、一つが金属導熱片１上端を被覆し、もう一つが金属導熱片１下端を被覆する。
散熱器４は、金属導熱片１上方に設置され、散熱器４と金属導熱片１中間の金属基材片２を散熱する。ファン５は、散熱器４上方に設置され、散熱器４上の熱エネルギーを発散させる。
【考案の効果】
【０００５】
本考案の無鉛低温共晶遷移金属導熱片は、快速に導熱する、製品汚染の問題が無い、作業が便利で、生産効率が高い、作業時間を減少させる、等の長所が得られる。
【考案を実施するための最良の形態】
【０００６】
本考案は、無鉛低温共晶遷移金属導熱片を提供する。図４は本考案の実施例を示す図で、金属導熱片１を被覆して、低温導熱作用を生じさせ、金属基材片２、３は、快速な導熱効果を達成する。金属基材は、スズ、インジウム、ビスマス、及び、微量元素で、被覆により、金属導熱片１と一体に形成され、金属導熱片１が、回路板６上で、素子を発熱させる時、共晶遷移の温度の範囲は、５０〜７０℃の間である。よって、金属基材片２、３により、金属導熱片１を被覆して、散熱効果を向上させ、公知の導熱膏が製品を汚染する問題を回避し、快速に散熱片と結合して、生産効率を向上し、作業時間を減少させる。
本考案の新規性と実用性を明らかにするため、公知技術と比較すると、
公知の欠点：
１．公知の導熱膏、フィルムは含鉛で、その導熱係数は金属より劣る。
２．公知の導熱膏、フィルムは重複使用が出来ない。
３．散熱効果に影響する。
４．導熱係数が好ましくない。
５．公知の導熱膏を素子に塗布する時、人の手によるので、以下のような欠点がある。
A．分量が制御しがたい。
B．分布が不均一である。
C．量が多いと、製品を汚染する。
D．作業効率が好ましくない。
本考案の長所：
１．金属を基材とし、スズ、インジウム、ビスマス、及び、微量元素で、被覆する。
２．快速に導熱する。
３．散熱片を結合し、媒介充填導熱に適する。
４．製品汚染の問題が無い。
５．快速に、散熱片と結合し、作業が便利で、生産効率が高い。
６．作業時間を減少させる。
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【０００７】
【図１】本考案の分解図である。
【図２】本考案の組立図である。
【図３】本考案の断面図である。
【図４】本考案の実施例図である。
【図５】公知の散熱片の実施例図である。
【符号の説明】
【０００８】
１…金属導熱片
２、３…金属基材片  
４…散熱器
５…ファン
６…回路板
A…導熱膏  
【図１】
0003105414.tif 000003
【図２】
0003105414.tif 000004
【図３】
0003105414.tif 000005
【図４】
0003105414.tif 000006
【図５】
0003105414.tif 000007
(57)【要約】      （修正有）【課題】付加価値を高める携帯電話機を提供することを目的とする。【解決手段】上ケース２と下ケース３はヒンジ部４を中心に回転自在に結合されている。上ケース２の内表面には表示画面５が設けられ、下ケース３の内表面には各種操作ボタン６が設けられる。下ケース３の内表面に収納部を凹設し、その内部に芳香剤を収納し、芳香剤が飛び出すのを防止する通気性部材１２を設ける。上ケース２と下ケース３を回転させて開くと、芳香が放散される。【選択図】図１
0003105456.tif 000002
【実用新案登録請求の範囲】
【請求項１】
携帯電話のケースに芳香剤を設けたことを特徴とする携帯電話機。
【請求項２】
前記ケースがヒンジ部を中心に回転する上ケースと下ケースから成る開閉式ケースであり、下ケースの内部に前記芳香剤を設けたことを特徴とする請求項１記載の携帯電話機。
【考案の詳細な説明】
【技術分野】
【０００１】  本発明は、芳香剤を備えた携帯式電話機に関するものである。
【背景技術】
【０００２】  近年、携帯式電話機は広く普及し、且つ様々な機能が付加されるとともにファッション化している。
【考案の開示】
【考案が解決しようとする課題】
【０００３】  そこで本発明は、更なる付加価値を高める携帯電話機を提供することを目的とする。
【課題を解決するための手段】
【０００４】  そこで請求項１に記載の本発明の携帯電話機は、そのケースに芳香剤を設けたものである。【０００５】  また請求項２に記載の携帯式電話機は、請求項１に記載の携帯式電話機において前記ケースがヒンジ部を中心に回転する上ケースと下ケースから成る開閉式ケースであり、下ケースの内部に前記芳香剤を設けたものである。
【考案の効果】
【０００６】  上記構成の本発明は、ケースに芳香剤を設けることにより、通話中に芳香し、携帯電話機の付加価値をより高めることができる。
【考案を実施するための最良の形態】
【０００７】  以下、図面を参照して本発明の実施の形態を説明する。図１は携帯電話機の斜視図、図２は同側面図、図３は同部分断面図である。【０００８】  図１および図２において、携帯電話機１は、上ケース２と下ケース３をヒンジ部４を介して回転自在に結合して成る開閉式のケースを主体としている。上ケース２の内表面には表示画面５が設けられており、また下ケース３の内表面には各種操作ボタン６が設けられている。【０００９】  図３において、下ケース３の内表面には収納部１０が凹設されており、その内部には芳香剤１１が収納されている。収納部１０はメッシュや多孔板などの通気性部材１２により覆われており、芳香剤１１の飛び出しを防止している。【００１０】  したがって図２において鎖線で示すように上ケース２を開けば通気性部材１２は露呈し芳香剤１１の芳香は外部へ放散される。なお、芳香剤はケース（上ケース、下ケース）の任意の場所に設けてよい。またケースとしては、非開閉式のケースでもよい。
【産業上の利用可能性】
【００１１】  本考案の一実施例は上述の如き構成からなるものであるから、本発明の携帯電話機は、ケースに芳香剤を設けたことにより、携帯式電話機の付加価値をより高めることができる。
【図面の簡単な説明】
【００１２】
【図１】携帯式電話機の斜視図
【図２】携帯式電話機の側面図
【図３】携帯式電話機の部分断面図
【符号の説明】
【００１３】１  携帯式電話機
２  上ケース
３  下ケース
４  ヒンジ部
１１  芳香剤
【図１】
0003105456.tif 000003
【図２】
0003105456.tif 000004
【図３】
0003105456.tif 000005